(57)【要約】【課題】手動操作用のハンドルが、電動操作時には動かないように保持され、停電時にはハンドルを立て起こすと簡単に手動操作に切り替わる窓開閉装置を提供する。【解決手段】窓開閉装置１は、モータ４で操作軸２を回転させる電動操作機構と、ハンドル３操作によって操作軸２を回転させる手動操作機構とを具備し、それらの機構は操作部カバー１１に包囲され窓枠に沿って設置される。手動操作機構は、操作軸２に結合されたクラッチハブ６と、クラッチハブ６に挿装され軸方向に摺動してクラッチハブ６に係脱するクラッチスリーブ７と、からなるクラッチ機構を具備し、ハンドル３を折り畳むとクラッチスリーブ７が押し込まれて操作軸２との連係が解除され、ハンドル３を立て起こすと、付勢部材によって押し出されたクラッチスリーブ７がクラッチハブ６に係合して操作軸２に連係される。【選択図】  図４
2020133124.tif 000002
【特許請求の範囲】
【請求項１】
窓障子の開閉機構に連係する操作軸を、その軸周りに回転させることによって窓障子が開閉される窓開閉装置において、
前記操作軸には、モータの駆動力によって前記操作軸を回転させる電動操作機構が連係するとともに、
前記操作軸の先端部近傍には、立て起こし／折り畳み可能な手動操作用のハンドルと、前記ハンドルの回転操作を前記操作軸に伝達する手動操作機構とが組み付けられ、
前記手動操作機構は、前記ハンドルを立て起こすと前記操作軸に連係し、前記ハンドルを折り畳むと前記操作軸との連係が解除されるクラッチ機構を具備する
ことを特徴とする窓開閉装置。
【請求項２】
請求項１に記載された窓開閉装置において、
前記電動操作機構および前記手動操作機構が、操作部カバーに包囲された状態で窓枠に沿うように設置され、
前記操作軸の先端部が前記操作部カバーの表面から屋内側に突出し、
前記操作部カバーには、前記操作軸の先端部に連結された前記ハンドルを折り畳み状態で収納し得るハンドル収納部が設けられた
ことを特徴とする窓開閉装置。
【請求項３】
請求項１または２に記載された窓開閉装置において、
前記手動操作機構は、
前記操作軸に同軸状に結合されて前記操作軸と一体的に回転するクラッチハブと、
前記クラッチハブの外側に挿装されて前記操作軸の軸方向に摺動することにより前記クラッチハブに係脱するクラッチスリーブと、
前記クラッチスリーブをクラッチハブに係合する向きに付勢する付勢部材と、
前記操作軸の先端部に前記ハンドルの基端部を立て起こし／折り畳み可能に連結するヒンジ部材と、
前記操作軸の先端部近傍に挿装されて前記ヒンジ部材および前記クラッチスリーブに係合する手動操作用カムと、
を具備して、
前記ヒンジ部材および前記手動操作用カムは前記操作軸に対して空転するように組み付けられ、
前記ハンドルを折り畳むと、そのハンドルによって押し込まれた前記クラッチスリーブが前記クラッチハブから離脱することにより、前記ハンドルと前記操作軸との連係が解除される一方、
前記ハンドルを立て起こすと、前記付勢部材によって押し出された前記クラッチスリーブが前記クラッチハブに係合し、前記ハンドルの回転操作が前記ヒンジ部材、前記手動操作用カム、前記クラッチスリーブおよび前記クラッチハブを介して前記操作軸に伝達される
ことを特徴とする窓開閉装置。
【請求項４】
請求項３に記載された窓開閉装置において、
前記クラッチスリーブと前記クラッチハブとの係脱機構は、正逆両回転方向に駆動力を伝達する噛合クラッチによるものである
ことを特徴とする窓開閉装置。
【発明の詳細な説明】
【技術分野】
【０００１】
本願が開示する発明は、窓開閉装置に関し、より詳細には、電動力による開閉操作と手動力による開閉操作とを切り替えることのできる窓開閉装置に関する。
【背景技術】
【０００２】
建物の壁面等に設けられる、すべり出し窓、突き出し窓、ルーバー窓、オーニング窓等には、窓枠近傍に設置された開閉用オペレータのハンドルを手で回して窓障子の開閉機構を操作するものが多い。近年、この種の窓サッシは大型化が進み、また、多層ガラスや高断熱・高気密の仕様が採用されることも多くなって、窓障子の重量が増大する傾向にある。これに伴って、オペレータを手動で操作することが大変になり、特に女性や高齢者には窓障子の開閉操作が負担の大きい作業になりつつある。
【０００３】
そこで、オペレータを電動力によって開閉することのできる窓開閉装置が、例えば特許文献１〜４等に提案されている。これらの文献に開示された窓開閉装置は基本的に、窓障子の開閉機構に連結された操作軸に対して、ハンドルの代わりに、電動モータによって駆動する操作装置を連結するものである。
【０００４】
特許文献１および２に開示された窓開閉装置は、オペレータ本体に専用設計のブラケットを介してモータを取り付け、そのモータの出力軸を、手動ハンドルを取り外した操作軸（特許文献１では「回転伝達軸」、特許文献２では「接続部」）に連結する構成になっている。特許文献１記載の構成では、そのモータが窓近傍に設置した制御ユニットにコード接続され、その制御ユニットがリモコンで遠隔操作される。
【０００５】
特許文献３に開示された窓開閉手段は、オペレータの操作軸（特許文献３では「駆動部」）とハンドルとの中間部分にモータを内蔵したモータボックスを取り付けて、モータの回転を歯車からなる連係回転部を介して操作軸に伝達することにより、ハンドル（手動）とモータ（電動）のどちらでも窓障子を開閉することができるように構成されている。モータボックスは、窓サッシの外部に設けられる電源および制御部にコード接続され、さらに窓サッシの外部にモータを遠隔操作するための操作スイッチ（リモコン）が設けられる。
【０００６】
特許文献４に開示された窓開閉手段は、オペレータの操作軸（特許文献４では「入力軸」）を回転させる駆動部材を、オペレータ本体とは別体に設けて、駆動部材をオペレータの操作軸に着脱自在に連結するようにしたものである。駆動部材は、オペレータの操作軸に連結可能な駆動軸と、駆動軸を回転させるモータと、モータを起動・停止させるスイッチと、モータの回転方向を切り替えるスイッチと、モータの回転速度を制御する減速機と、窓障子の開閉動作が完了して設定以上の回転負荷が生じた場合に減速機を空転させる可変トルクリミッタと、充電池等の電池と、を内蔵している。
【先行技術文献】
【特許文献】
【０００７】
【特許文献１】特開２００５−２５６３９５号公報
【特許文献２】特開２０１７−２２７０８１号公報
【特許文献３】特開２００８−３８３６８号公報
【特許文献４】特開２００９−１９１４５５号公報
【発明の概要】
【発明が解決しようとする課題】
【０００８】
特許文献１および２に開示された窓開閉手段は、オペレータの操作軸に連結されたモータが常時、室内から見えるように構成されているので、モータの形状や位置によっては、窓周りの美観が損なわれかねない。そして、万一、停電になった場合、窓障子を手動で開閉しようとしても、オペレータの操作軸からモータを取り外さないと、手動操作用のハンドルを取り付けることができない、という不便がある。しかも、停電になった場合には、普段、使用していないハンドルがすぐに見つからない、という心配もある。
【０００９】
特許文献３に開示された窓開閉手段は、オペレータの操作軸にモータボックスおよびハンドルの両方を取り付けた形態で使用されるので、停電になっても、ハンドルを探して付け替えるという不便はなく、すぐに手動で開閉操作を行うことができる。しかし、モータボックスおよびハンドルの両方を具備する大がかりな装置構成は、特許文献１、２に記載された構成以上に、窓周りの美観や開放感を損なうおそれがある。また、この構成によれば、普段、電動操作によって窓障子を開閉する際にも、手動操作用のハンドルが一緒に回動してしまうので、いささか見苦しく、安全性にも欠ける。
【００１０】
特許文献４に開示された窓開閉手段は、駆動部材が電池で駆動されるため停電時でも使用可能であるが、電池が切れると、やはり手動での操作が必要になり、普段は使用していないハンドルを探さなければいけなくなる。また、駆動部材は、開閉操作の都度、オペレータの操作軸に連結する構成になっているので、開閉操作時以外は、オペレータの操作軸の端部が室内に向かって突出することになり、美観や安全性の面であまり好ましくない。
【００１１】
本願が開示する発明は、前述のような事情に鑑みてなされたものであり、手動操作のためのハンドルが、電動操作時には動かないように安全な状態で保持されていて、手動操作が必要になった際には、そのハンドルを探して付け替えるような手間を要せず、簡単に手動操作に切り替わる機構を備えた、電動・手動切替式の窓開閉装置を提供することを解決課題とする。
【課題を解決するための手段】
【００１２】
前述の目的を達成するために、本願が開示する発明の窓開閉装置は、窓障子の開閉機構に連係する操作軸を、その軸周りに回転させることによって窓障子が開閉される窓開閉装置において、前記操作軸には、モータの駆動力によって前記操作軸を回転させる電動操作機構が連係するとともに、前記操作軸の先端部近傍には、立て起こし／折り畳み可能な手動操作用のハンドルと、前記ハンドルの回転操作を前記操作軸に伝達する手動操作機構とが組み付けられ、前記手動操作機構は、前記ハンドルを立て起こすと前記操作軸に連係し、前記ハンドルを折り畳むと前記操作軸との連係が解除されるクラッチ機構を具備する、との基本的構成を採用する。
【００１３】
この構成によれば、ハンドルの姿勢に応じて手動操作機構が操作軸に連係するので、普段、電動での開閉操作を行う際には手動操作用のハンドルを折り畳んで動かないようにしておくことができ、手動操作が必要になった際には、そのハンドルを立て起こして簡単に手動操作に切り替えることができる。
【００１４】
さらに、本願が開示する発明の窓開閉装置は、前述の基本的構成に加えて、前記電動操作機構および前記手動操作機構が、操作部カバーに包囲された状態で窓枠に沿うように設置され、前記操作軸の先端部が前記操作部カバーの表面から屋内側に突出し、前記操作部カバーには、前記操作軸の先端部に連結された前記ハンドルを折り畳み状態で収納し得るハンドル収納部が設けられた、との構成を採用する。
【００１５】
この構成によれば、電動操作機構および手動操作機構が、窓枠に沿ってすっきりと組み付けられるとともに、折り畳んだハンドルを操作部カバーの表面に収納して、窓開閉装置全体の外観を端正かつ美麗にまとめることができる。
【００１６】
さらに、本願が開示する発明の窓開閉装置は、前述した手動操作機構が、前記操作軸に同軸状に結合されて前記操作軸と一体的に回転するクラッチハブと、前記クラッチハブの外側に挿装されて前記操作軸の軸方向に摺動することにより前記クラッチハブに係脱するクラッチスリーブと、前記クラッチスリーブをクラッチハブに係合する向きに付勢する付勢部材と、前記操作軸の先端部に前記ハンドルの基端部を立て起こし／折り畳み可能に連結するヒンジ部材と、前記操作軸の先端部近傍に挿装されて前記ヒンジ部材および前記クラッチスリーブに係合する手動操作用カムと、を具備して、前記ヒンジ部材および前記手動操作用カムは前記操作軸に対して空転するように組み付けられ、前記ハンドルを折り畳むと、そのハンドルによって押し込まれた前記クラッチスリーブが前記クラッチハブから離脱することにより、前記ハンドルと前記操作軸との連係が解除される一方、前記ハンドルを立て起こすと、前記付勢部材によって押し出された前記クラッチスリーブが前記クラッチハブに係合し、前記ハンドルの回転操作が前記ヒンジ部材、前記手動操作用カム、前記クラッチスリーブおよび前記クラッチハブを介して前記操作軸に伝達される、との具体的構成を採用する。
【００１７】
さらに、前記クラッチスリーブと前記クラッチハブとの係脱機構が、正逆両回転方向に駆動力を伝達する噛合クラッチによるものである、との構成を採用する。
【００１８】
これらの構成によれば、ハンドルの立て起こし／折り畳み状態に応じて、ハンドルを操作軸に対し確実かつ円滑に連係／解除させることができる。
【発明の効果】
【００１９】
本願が開示する窓開閉装置によれば、普段、電動での開閉操作を行う際には手動操作用のハンドルを折り畳んで動かないようにしておくことができ、手動操作が必要になった際には、そのハンドルを立て起こして簡単に手動操作に切り替えることができるので、日常的な使い勝手が向上するとともに、停電等に際しても不自由なく窓障子の開閉操作を行うことができる。
【００２０】
さらに、機構部分を包囲する操作部カバーに折り畳んだハンドルを収納し得るように構成することで、窓開閉装置を屋内側から見たときの美観や窓全体の開放感を向上させることができる。
【図面の簡単な説明】
【００２１】
【図１】本願が開示する発明の窓開閉装置と、これを用いて開閉する窓の概略的構成を示す斜視図である。
【図２】前記窓開閉装置のハンドルを立て起こした状態を示す斜視図である。
【図３】前記窓開閉装置の操作部カバーを取り外して内部機構を示した斜視図である。
【図４】前記窓開閉装置の操作軸に連係する主要部材の分解斜視図である。
【図５】図４に示した主要部材のうち、クラッチハブとクラッチスリーブとの係合形態を示す説明図である。
【図６】図４に示した主要部材のうち、クラッチスリーブと手動操作用カムとの係合形態を示す説明図ある。
【図７】前記窓開閉装置のハンドルを折り畳んだときの手動操作機構の状態を示す要部断面図である。
【図８】前記窓開閉装置のハンドルを立て起こしたときの手動操作機構の状態を示す要部断面図である。
【発明を実施するための形態】
【００２２】
以下、本願が開示する発明の実施の形態について、図面を参照しつつ説明する。
【００２３】
図１〜図３は、本願が開示する発明にかかる窓開閉装置１の概略的な構成を示している。この窓開閉装置１が設置される窓サッシ１０は、例えば図１に示すような縦すべり出し窓である。この窓サッシ１０は、窓枠１０１と、その枠内に建て込まれた窓障子１０２とが、フリクションステー１０３（図２参照）等を含んで構成される開閉機構（図示せず）を介して連結されている。
【００２４】
窓障子１０２を開閉するための窓開閉装置１は、窓枠１０１の下枠１０４に沿って設置されている。窓開閉装置１は、開閉機構に連係して屋内側に突出する操作軸２（図３〜図８参照）を含んで構成されている。その操作軸２を軸周りに回転させると、それに連係して開閉機構が動き、窓障子１０２が屋外側に開閉する。ただし、開閉機構については公知のものを適宜組み合わせるなどして構成することができ、本願が開示する発明においては、その詳細な構成を特に限定しない。
【００２５】
本願が開示する窓開閉装置１は、操作軸２をハンドル３の手動操作によって回転させる手動操作機構と、操作軸２をモータ４（図３参照）の駆動力によって回転させる電動操作機構と、を組み合わせて構成されている。電動操作機構および手動操作機構は、操作部カバー１１に包囲された状態で、下枠１０４の見込み面に沿うように組み付けられる。操作軸２の先端部は操作部カバー１１を貫通して斜め上向きに突出しており、その突端に手動操作用のハンドル３が、ヒンジ部材５を介して立て起こし／折り畳み可能に取り付けられている。
【００２６】
操作部カバー１１には、ハンドル３を折り畳んだ状態で収納し得る凹溝状のハンドル収納部１２が設けられている。ハンドル３を折り畳んで、このハンドル収納部１２に収納すると電動操作モードになる。そして、図２に示すように、ハンドル３をハンドル収納部１２から立て起こすと、ハンドル３の先端部に取り付けられた摘み部３１が屋内側に向いて、ハンドル３の回転操作が可能な手動操作モードになる。このような切替操作を実現し得る機構について、以下に詳述する。なお、以下の説明では、屋内側から窓サッシ１０を見た視点を正面視とし、その向きを基準に上下左右を規定して、各部位・部材の位置関係や動作の向きを説明することとする。
【００２７】
図３は、ハンドル３および操作部カバー１１を取り外して窓開閉装置１の内部機構の概要を示した図である。内部機構は、下枠１０４に沿うように横長にレイアウトされている。操作軸２は、窓開閉装置１全体の左右方向における中央付近に配置され、屋内側へ斜め上向きに突出している。操作軸２の左側には、交流式のモータ４と、その駆動力を適宜変換して操作軸２に伝達する複数個のギヤ４１等とを組み合わせて構成された電動操作機構が組み付けられている。また、操作軸２の右側には、モータ４を駆動するための電源ユニットや、モータ４の回転・停止を制御する制御ユニット４２、操作スイッチ４３、リモコン受送信デバイス４４等が組み付けられている。
【００２８】
図４は、操作軸２に連係する主要部材の分解斜視図である。操作軸２の基端部は、開閉機構に組み込まれた従動ギヤ（図示せず）等に連係するウォーム部２１となっている。操作軸２の基端部に近い中間部の外周面には、後述するクラッチハブに係合するスプライン２２が形成されている、操作軸２の先端部近傍は、スプライン２２よりも小径の円柱部２３となされている。
【００２９】
電動操作機構は、電動操作用ギヤ４５を介して操作軸２に連係する。電動操作用ギヤ４５は略一様厚さの平歯車で、操作軸２の基端部近傍に同軸状に結合され、操作軸２と一体的に回転する。モータ４の駆動力が電動操作機構を介して、この電動操作用ギヤ４５に伝達されることにより、操作軸２が正逆いずれかの向きに回転して窓障子１０２が開閉する。窓障子１０２が完全に閉じられるか最大まで開かれると、モータ４の回転トルクの上昇を制御ユニット４２が検知して、モータ４の回転が停止する。
【００３０】
手動操作機構は、操作軸２に結合されたクラッチハブ６と、クラッチハブ６の外側に挿装されてクラッチハブ６に係脱するクラッチスリーブ７と、クラッチスリーブ７をクラッチハブ６に係合する向きに付勢する付勢部材としての圧縮コイルばね２４と、操作軸２の先端部近傍に挿装されてクラッチスリーブ７に係合する手動操作用カム８と、操作軸２の先端部にハンドル３を連結するヒンジ部材５と、を含んで構成される。これらの部材は、全て操作軸２と同軸状に組み付けられる。
【００３１】
図５は、クラッチハブ６とクラッチスリーブ７との係合形態を示し、図６は、クラッチスリーブ７と手動操作用カム８との係合形態を示している。また、図７は、ハンドル３を折り畳んだときの各部材の取り合いを示し、図８は、ハンドル３を立て起こしたときの各部材の取り合いを示している。
【００３２】
クラッチハブ６は、円筒状のボス部６１と、その外周面に突設された複数個の噛合突起６２と、を有している。ボス部６１は、外径よりも軸長がやや長いプロポーションを有し、その軸方向における屋内寄りの外周面に噛合突起６２が形成されている。複数個の噛合突起６２は全て同一形状をなし、ボス部６１の周方向に沿って等間隔で配置されている。ボス部６１の軸心を貫通する孔部６３の内周面には、操作軸２に形成されたスプライン２２と係合するキー溝が形成されている。この孔部６３が操作軸２のスプライン２２に挿装されることにより、クラッチハブ６が操作軸２および電動操作用ギヤ４５と一体的に回転する。孔部６３の屋内側の端部には円形の小径部６４が形成されており、この小径部６４には操作軸２の円柱部２３が挿通される。
【００３３】
クラッチスリーブ７は、短い円筒状をなす遊筒部７１と、遊筒部７１の屋内側の端部近傍に設けられた拡径部７２と、拡径部７２の内周縁部に沿って形成された複数個の噛合溝７３と、拡径部７２の外周縁部から屋内側に向けて延設されたカム受け部７４と、を具備している。
【００３４】
遊筒部７１は、その内径がクラッチハブ６のボス部６１の外径よりもわずかに大きく形成されて、ボス部６１における噛合突起６２よりも屋外側に挿装され、ボス部６１に対して空転可能に、かつ、軸方向に摺動し得るように組み付けられる。
【００３５】
拡径部７２は、遊筒部７１の屋内側の端部の周縁部を径外方向に増肉して形成されている。拡径部７２の外径はクラッチハブ６の噛合突起６２の外径よりも大きく、拡径部７２の軸方向の厚さはクラッチハブ６の噛合突起６２の厚さよりも大きくなされている。
【００３６】
噛合溝７３は、クラッチハブ６の噛合突起６２と合致する形状をなし、拡径部７２の屋内側の端面に噛合突起６２と同じ個数だけ開口して、噛合突起６２に屋外側から係脱する。図５は、クラッチハブ６とクラッチスリーブ７との係合形態を示す説明図である。
【００３７】
カム受け部７４は、クラッチハブ６の噛合突起６２の外側を囲むようにして、拡径部７２の外周縁部から屋内側へ大きく延び出している。カム受け部７４は、円筒体の周壁部分を軸方向に略等幅で切り欠いて、操作軸２の軸心を中心とする点対称位置に相対させた形状をなしている。カム受け部の屋内側の端面は操作軸２の軸心に直交する平坦面となされ、該端面の角部には面取り部が形成されている。
【００３８】
付勢部材としての圧縮コイルばね２４は、クラッチスリーブ７の遊筒部７１の外側に挿装されて、拡径部７２と電動操作用ギヤ４５とを互いに離反させる向きに付勢している。この付勢力によって、クラッチスリーブ７が常時、屋内側に向けて押し出されることとなる。
【００３９】
手動操作用カム８は、細長い円筒状をなす基筒部８１と、基筒部８１の屋外側の端部近傍に設けられたフランジ部８２と、フランジ部８２の径外方向に張り出す２か所の係合片８３と、を具備している。
基筒部８１は、内周面が平滑に形成されて操作軸２の円柱部２３に挿装され、操作軸２に対して空転し得るように保持される。基筒部８１の外周面にはスプライン状の凸条８４が形成されている。
フランジ部８２は、クラッチハブ６の噛合突起６２の外径と略同寸の外径をなす円板状に形成されて、クラッチスリーブ７のカム受け部７４の内側に挿入される。フランジ部８２の屋外側の端面には、クラッチハブ６のボス部６１の屋内側の端部近傍を収容しうる円形凹部８５が形成されている。
係合片８３は、クラッチスリーブ７のカム受け部７４に形成された切欠部に嵌まり込む正面視扇形の部位である。係合片８３は、フランジ部８２と略同寸の厚さで径外方向に張り出し、その外周面がカム受け部７４の外周面と略合致する形状をなしている。この係合片８３は、クラッチスリーブ７のカム受け部７４に常時、係合するとともに、クラッチスリーブ７に対して軸方向に摺動し得るように保持される。
【００４０】
ヒンジ部材５は、角丸状をなす直方体ブロックの裏面側に短円筒状部が突設した形状の頭部５１と、頭部５１の側方に突設されたハンドル支持腕部５２と、を具備する。頭部５１には、手動操作用カム８の基筒部８１に挿装される取付穴が形成されている。取付穴の内周面には、基筒部８１の外周面に形成された凸条８４と係合する凹溝が形成されている。また、頭部５１の表面側には、取付穴に連通する小径の通孔５３が形成されており、通孔５３の開口端には皿もみ加工が施されている。そして、取付穴に手動操作用カム８の基筒部８１が挿し込まれ、頭部５１の表面側から通孔５３に挿入された固定用ネジ５４が、操作軸２の円柱部２３に形成された雌ネジ孔２５に螺合される。これにより、ヒンジ部材５と手動操作用カム８とが一体的に回転し、かつ、操作軸２に対しては空転するように組み付けられる。
【００４１】
ハンドル支持腕部５２の突出端には、ハンドル３の基端部が、ピン部材３２を介して回動可能に連結される。ハンドル３は、長手方向に直交する断面が略Ｕ字状をなし、その凹面側の先端部近傍に摘み部３１が取り付けられている。
【００４２】
ハンドル３を折り畳むと、その凹面側がヒンジ部材５に被さり、ハンドル３の側縁部３３がクラッチスリーブ７のカム受け部７４の端面に当接して、クラッチスリーブ７を屋外側に押し込む。すると、図５および図７に示すように、クラッチスリーブ７の拡径部７２に形成された噛合溝７３がクラッチハブ６の噛合突起６２から離れて、クラッチスリーブ７とクラッチハブ６とが互いに空転する状態になり、［操作軸２＋電動操作用ギヤ４５＋クラッチハブ６］と、[クラッチスリーブ７＋手動操作用カム８＋ヒンジ部材５＋ハンドル３］との連係が解除される。したがって、ハンドル３を操作部カバー１１のハンドル収納部１２に収納したままでも、モータ４による電動操作が可能になる。
【００４３】
ハンドル３をハンドル収納部１２から取り出して立て起こすと、ハンドル３の側縁部３３がクラッチスリーブ７のカム受け部７４から離れ、クラッチスリーブ７が圧縮コイルばね２４の付勢力によって屋内側へ押し出される。すると、図８に示すように、クラッチスリーブ７の拡径部７２に形成された噛合溝７３がクラッチハブ６の噛合突起６２に係合して、［操作軸２＋電動操作用ギヤ４５＋クラッチハブ６］と、[クラッチスリーブ７＋手動操作用カム８＋ヒンジ部材５＋ハンドル３］とが連係する。この状態でハンドル３を回すと操作軸２も回転するので、手動での開閉操作が可能になる。
【００４４】
このように、本願が開示する窓開閉装置１は、操作軸２に結合したクラッチハブ６と、ハンドル３操作に連係して回転するクラッチスリーブ７と、による噛合クラッチ機構を具備しており、そのクラッチ機構がハンドル３の姿勢に連動して係脱（噛合／非噛合）するように構成されている。このようなクラッチ機構を採用したことで、普段はハンドル３を折り畳んだまま電動で窓障子１０２を開閉し、停電時にはハンドル３を立て起こして手動で開閉する、という使い分けを不自由なく行うことができる。停電に際してハンドル３を探す必要もない。もちろん、手動による開閉操作は、停電時に限らず行うことができる。噛合クラッチ機構は、クラッチスリーブ７が軸方向に摺動することで、クラッチハブ６に対して円滑に係脱し、正逆両方向に対して確実に回転トルクを伝達するので、操作感がよく、耐久性にも優れる。
【００４５】
なお、本願が開示する発明の技術的範囲は、例示した実施の形態によって限定的に解釈されるべきものではなく、特許請求の範囲の記載に基づいて概念的に解釈されるべきものである。本願が開示する発明の実施に際しては、例示形態と実質的に同様の作用効果が得られる範囲内で、機構各部の形状、配置、取り合い等を適宜、改変することも可能である。
【符号の説明】
【００４６】
１  窓開閉装置
１１  操作部カバー
１２  ハンドル収納部
２  操作軸
２１  ウォーム部
２２  スプライン
２３  円柱部
２４  圧縮コイルばね（付勢部材）
２５  雌ネジ孔
３  ハンドル
３１  摘み部
３２  ピン部材
３３  側縁部
４  モータ
４１  ギヤ
４２  制御ユニット
４３  操作スイッチ
４４  リモコン受送信デバイス
４５  電動操作用ギヤ
５  ヒンジ部材
５１  頭部
５２  ハンドル支持腕部
５３  通孔
５４  固定用ネジ
６  クラッチハブ
６１  ボス部
６２  噛合突起
６３  孔部
６４  小径部
７  クラッチスリーブ
７１  遊筒部
７２  拡径部
７３  噛合溝
７４  カム受け部
８  手動操作用カム
８１  基筒部
８２  フランジ部
８３  係合片
８４  凸条
８５  円形凹部
１０  窓サッシ
１０１  窓枠
１０２  窓障子
１０３  フリクションステー
１０４  下枠
【図１】
2020133124.tif 000003
【図２】
2020133124.tif 000004
【図３】
2020133124.tif 000005
【図４】
2020133124.tif 000006
【図５】
2020133124.tif 000007
【図６】
2020133124.tif 000008
【図７】
2020133124.tif 000009
【図８】
2020133124.tif 000010